(57)【要約】【課題】発光効率および色純度が十分に良好な赤色発光の有機電界発光素子、およびこれを用いてなる表示装置を提供する。【解決手段】陽極１３と陰極１５との間に発光層１４ｃを備えた有機層１４を挟持してなる赤色発光性の有機電界発光素子１１において、発光層１４ｃは、赤色の発光性ゲスト材料としてスチリル誘導体を含有すると共に、ホスト材料として母骨格が環員数４〜７の多環式芳香族炭化水素化合物を含有している。また発光層１４ｃよりも短波長に発生する発光性ゲスト材料を含有する光増感層１４ｄが、発光層１４ｃに隣接して設けられている。【選択図】図１
2008159775.tif 000002
【特許請求の範囲】
【請求項１】
陽極と陰極との間に発光層を備えた有機層を挟持してなる赤色発光性の有機電界発光素子において、
前記発光層は、赤色の発光性ゲスト材料として下記一般式（１）に示す化合物を含有すると共に、ホスト材料として母骨格が環員数４〜７の多環式芳香族炭化水素化合物を含有し、
前記発光層よりも短波長に発生する発光性ゲスト材料を含有する光増感層が、当該発光層に隣接して設けられた
ことを特徴とする有機電界発光素子。
【化１】
2008159775.tif 000022
ただし、一般式（１）中において、Ｔ1〜Ｔ3は炭素数３０以下の置換あるいは無置換のアリール基もしくは炭素数３０以下の置換あるいは無置換の複素環基を示し、Ｔ4はＴ2およびＴ3と環状構造を有してもよい置換あるいは無置換のフェニレン部位を示す。
【請求項２】
請求項１記載の有機電界発光素子において、
前記発光層のホスト材料を構成する多環式芳香族炭化水素化合物の母骨格が、ピレン、ベンゾピレン、クリセン、ナフタセン、ベンゾナフタセン、ジベンゾナフタセン、ペリレン、コロネンから選択された
ることを特徴とする有機電界発光素子。
【請求項３】
請求項１記載の有機電界発光素子において、
前記発光層のホスト材料として、下記一般式（２）に示す化合物が用いられている
ことを特徴とする有機電界発光素子。
【化２】
2008159775.tif 000023
ただし、一般式（２）中において、Ｒ1〜Ｒ8はそれぞれ独立に、水素、ハロゲン、ヒドロキシル基、炭素数２０以下の置換あるいは無置換のカルボニル基、炭素数２０以下の置換あるいは無置換のカルボニルエステル基、炭素数２０以下の置換あるいは無置換のアルキル基、炭素数２０以下の置換あるいは無置換のアルケニル基、炭素数２０以下の置換あるいは無置換のアルコキシル基、シアノ基、ニトロ基、炭素数３０以下の置換あるいは無置換のシリル基，炭素数３０以下の置換あるいは無置換のアリール基、炭素数３０以下の置換あるいは無置換の複素環基、もしくは炭素数３０以下の置換あるいは無置換のアミノ基を示す。
【請求項４】
請求項１記載の有機電界発光素子において、
前記光増感層は、前記発光層に隣接して当該発光層と前記陰極との間に設けられている
ことを特徴とする有機電界発光素子。
【請求項５】
請求項１記載の有機電界発光素子において、
前記発光層で発生した赤色の発光光が、前記陽極と陰極との間の何れかの層間において多重干渉して当該陽極または陰極の一方側から取り出される
ことを特徴とする有機電界発光素子。
【請求項６】
陽極と陰極との間に発光層を備えた有機層を挟持してなる赤色発光性の有機電界発光素子を基板上に複数形成してなる表示装置において、
前記発光層は、赤色の発光性ゲスト材料として下記一般式（１）に示す化合物を含有すると共に、ホスト材料として母骨格が環員数４〜７の多環式芳香族炭化水素化合物を含有し、
前記発光層よりも短波長に発生する発光性ゲスト材料を含有する光増感層が、前記発光層に隣接して設けられた
ことを特徴とする表示装置。
【化１】
2008159775.tif 000024
ただし、一般式（１）中において、Ｔ1〜Ｔ3は炭素数３０以下の置換あるいは無置換のアリール基もしくは炭素数３０以下の置換あるいは無置換の複素環基を示し、Ｔ4はＴ2およびＴ3と環状構造を有してもよい置換あるいは無置換のフェニレン部位を示す。
【請求項７】
請求項６記載の表示装置において、
前記有機電界発光素子が、赤色発光素子として複数の画素のうちの一部の画素に設けられている
ことを特徴とする表示装置。
【請求項８】
請求項７記載の表示装置において、
前記赤色発光素子として設けられた前記有機電界発光素子の光増感層は、前記基板上に設けられた当該赤色発光素子以外の有機電界発光素子における発光層として、複数の画素にわたる連続パターンの形状で設けられている
ことを特徴とする表示装置。
【請求項９】
請求項７記載の表示装置において、
前記基板上には、前記赤色発光素子と共に、青色発光の有機電界発光素子および緑色発光の有機電界発光素子が設けられている
ことを特徴とする表示装置。
【発明の詳細な説明】
【技術分野】
【０００１】
有機電界発光素子および表示装置に関し、特には赤色発光の有機電界発光素子、およびこれを用いた表示装置に関する。
【背景技術】
【０００２】
近年、軽量で高効率のフラットパネル型表示装置として、有機電界発光素子（いわゆる有機ＥＬ素子）を用いた表示装置が注目されている。
【０００３】
このような表示装置を構成する有機電界発光素子は、例えばガラス等からなる透明な基板上に設けられており、基板側から順にＩＴＯ（Indium Tin Oxide：透明電極）からなる陽極、有機層、および陰極を積層してなる。有機層は、陽極側から順に、正孔注入層、正孔輸送層および電子輸送性の発光層を順次積層させた構成を有している。このように構成された有機電界発光素子では、陰極から注入された電子と陽極から注入された正孔とが発光層において再結合し、この再結合の際に生じる光が陽極を介して基板側から取り出される。
【０００４】
有機電界発光素子としては、このような構成を有するものの他に、基板側から順に、陰極、有機層、陽極を順次積層した構成、さらには上方に位置する電極（陰極または陽極としての上部電極）を透明材料で構成することによって、基板と反対側の上部電極側から光を取り出すようにした、いわゆる上面発光型もある。特に、基板上に薄膜トランジスタ（Thin Film Transistor：ＴＦＴ）を設けてなるアクティブマトリックス型の表示装置においては、ＴＦＴが形成された基板上に上面発光型の有機電界発光素子を設けた、いわゆるＴｏｐ  Ｅｍｉｓｓｉｏｎ構造とすることが、発光部の開口率を向上させる上で有利になる。
【０００５】
ところで、有機ＥＬディスプレイの実用化を考慮した場合、有機電界発光素子の開口を広げて光取り出しを高めることのほかに、有機電界発光素子の発光効率を向上させる必要性がある。そこで、発光効率を高める様々な材料および層構成の検討がなされてきた。
【０００６】
例えば赤色発光素子であれば、従来から知られているＤＣＪＴＢに代表されるピラン誘導体に変わる新たな赤色発光材料として、ナフタセン誘導体(ルブレン誘導体を含む）をドーパント材料として用いる構成が提案されている（例えば下記特許文献１，２参照)。
【０００７】
また特許文献２には、ルブレン誘導体をドーパント材料として用いた第１の発光層に、ペニレン誘導体とアントラセン誘導体とを含む第２の発光層を積層させることにより、白色発光を得る構成も提案されている。
【０００８】
さらに青色発光層に隣接された電子輸送層や正孔輸送層に、ルブレン誘導体をドープさせることにより、白色発光を得る構成も提案されている（下記特許文献３参照）。
【０００９】
【特許文献１】２０００−２６３３４号公報
【特許文献２】２００３−５５６５２号公報(特に第０３５３〜０３５７段落、表１１参照)
【特許文献３】２００４−１３４３９６号公報
【発明の開示】
【発明が解決しようとする課題】
【００１０】
ところで、以上のような表示装置においてフルカラー表示を行う上では、三原色（赤色、緑色、青色）に発光する各色の有機電界発光素子を配列して用いるか、または白色発光の有機電界発光素子と各色のカラーフィルタまたは色変換層とを組み合わせて用いることになる。このうち、発光光の取り出し効率の観点からは、各色に発光する有機電界発光素子を用いる構成が有利である。
【００１１】
しかしながら、上述したナフタセン誘導体（ルブレン誘導体）を用いた赤色発光素子の発光は、電流効率は６．７ｃｄ／Ａ程度であり、発光色は赤色発光というよりはむしろ橙色発光であった。
【００１２】
そこで本発明は、発光効率および色純度が十分に良好な赤色発光の有機電界発光素子、およびこれを用いてなる表示装置を提供することを目的とする。
【課題を解決するための手段】
【００１３】
このような目的を達成するための本発明の有機電界発光素子は、陽極と陰極との間に発光層を備えた有機層を挟持してなる赤色発光性の有機電界発光素子である。この発光層は、赤色の発光性ゲスト材料として下記一般式（１）に示す化合物（スチリル誘導体）を含有すると共に、ホスト材料として母骨格が環員数４〜７の多環式芳香族炭化水素化合物を含有している。また、発光層よりも短波長に発生する発光性ゲスト材料を含有する光増感層が、当該発光層に隣接して設けられている。
【００１４】
【化１】
2008159775.tif 000003
【００１５】
ただし、一般式（１）中において、Ｔ1〜Ｔ3は、炭素数３０以下の置換あるいは無置換のアリール基もしくは炭素数３０以下の置換あるいは無置換の複素環基を示す。またＴ4は、Ｔ2およびＴ3と環状構造を有してもよい置換あるいは無置換のフェニレン部位を示す。
【００１６】
このような構成の有機電界発光素子においては、以降の実施例で詳細に説明するように、光増感層を設けていない構成と比較して電流効率が上昇し、しかも発光材料を含有する光増感層に影響されずに発光層で発生した赤色の発光光のみが素子から取り出されることがわかった。
【００１７】
また、本発明は、上述した構成の有機電界発光素子を基板上に複数配列して設けた表示装置でもある。
【００１８】
このような表示装置では、上述したように、輝度および色純度が高い有機電界発光素子を赤色発光素子として用いた表示装置が構成されるため、他の緑色発光素子および青色発光素子と組み合わせることで、色再現性の高いフルカラー表示が可能になる。
【発明の効果】
【００１９】
以上説明したように本発明の有機電界発光素子によれば、色純度を保ちつつ赤色の発光光の発光効率の向上を図ることが可能になる。
【００２０】
そして、本発明の表示装置によれば、上述したように色純度および発光効率の高い赤色発光素子となる有機電界発光素子と共に、緑色発光素子および青色発光素子を１組にして画素を構成することにより、色再現性の高いフルカラー表示が可能になる。
【発明を実施するための最良の形態】
【００２１】
以下、本発明の実施の形態を、有機電界発光素子およびこれを用いた表示装置の順に図面に基づいて詳細に説明する。
【００２２】
≪有機電界発光素子≫
図１は、本発明の有機電界発光素子を模式的に示す断面図である。この図に示す有機電界発光素子１１は、基板１２上に、陽極１３、有機層１４、および陰極１５をこの順に積層してなる。このうち有機層１４は、陽極１３側から順に、例えば正孔注入層１４ａ、正孔輸送層１４ｂ、発光層１４ｃ、光増感層１４ｄ、および電子輸送層１４ｅを積層してなるものである。
【００２３】
本発明においては、発光層１４ｃの構成と、これに接して光増感層１４ｄを設けた構成とに特徴がある。以下においては、このような積層構成の有機電界発光素子１１が、基板１２と反対側から光を取り出す上面発光型の素子として構成されていることとし、この場合の各層の詳細を基板１２側から順に説明する。
【００２４】
＜基板＞
基板１２は、その一主面側に有機電界発光素子１１が配列形成される支持体であって、公知のものであって良く、例えば、石英、ガラス、金属箔、もしくは樹脂製のフィルムやシートなどが用いられるこの中でも石英やガラスが好ましく、樹脂製の場合には、その材質としてポリメチルメタクリレート（ＰＭＭＡ）に代表されるメタクリル樹脂類、ポリエチレンテレフタレート（ＰＥＴ）、ポリエチレンナフタレート（ＰＥＮ）、ポリブチレンナフタレート（ＰＢＮ)などのポリエステル類、もしくはポリカーボネート樹脂などが挙げられるが、透水性や透ガス性を抑える積層構造、表面処理を行うことが必要である。
【００２５】
＜陽極＞
陽極１３には、効率良く正孔を注入するために電極材料の真空準位からの仕事関数が大きいもの、例えばアルミニウム（Ａｌ）、クロム（Ｃｒ）、モリブテン（Ｍｏ）、タングステン（Ｗ）、銅（Ｃｕ）、銀（Ａｇ）、金（Ａｕ）の金属及びその合金さらにはこれらの金属や合金の酸化物等、または、酸化スズ（ＳｎＯ2）とアンチモン（Ｓｂ）との合金、ＩＴＯ（インジウムチンオキシド）、ＩｎＺｎＯ（インジウ亜鉛オキシド）、酸化亜鉛（ＺｎＯ）とアルミニウム（Ａｌ）との合金、さらにはこれらの金属や合金の酸化物等が、単独または混在させた状態で用いられる。
【００２６】
また、陽極１３は、光反射性に優れた第１層と、この上部に設けられた光透過性を有すると共に仕事関数の大きい第２層との積層構造であっても良い。
【００２７】
第１層は、アルミニウムを主成分とする合金からなる。その副成分は、主成分であるアルミニウムよりも相対的に仕事関数が小さい元素を少なくとも一つ含むものでも良い。このような副成分としては、ランタノイド系列元素が好ましい。ランタノイド系列元素の仕事関数は、大きくないが、これらの元素を含むことで陽極の安定性が向上し、かつ陽極のホール注入性も満足する。また副成分として、ランタノイド系列元素の他に、シリコン（Ｓｉ）、銅（Ｃｕ）などの元素を含んでも良い。
【００２８】
第１層を構成するアルミニウム合金層における副成分の含有量は、例えば、アルミニウムを安定化させるＮｄやＮｉ、Ｔｉ等であれば、合計で約１０ｗｔ％以下であることが好ましい。これにより、アルミニウム合金層においての反射率を維持しつつ、有機電界発光素子の製造プロセスにおいてアルミニウム合金層を安定的に保ち、さらに加工精度および化学的安定性も得ることができる。また、陽極１３の導電性および基板１２との密着性も改善することが出来る。
【００２９】
また第２層は、アルミニウム合金の酸化物、モリブデンの酸化物、ジルコニウムの酸化物、クロムの酸化物、およびタンタルの酸化物の少なくとも一つからなる層を例示できる。ここで、例えば、第２層が副成分としてランタノイド系元素を含むアルミニウム合金の酸化物層（自然酸化膜を含む）である場合、ランタノイド系元素の酸化物の透過率が高いため、これを含む第２層の透過率が良好となる。このため、第１層の表面において、高反射率を維持することが可能である。
さらに、第２層は、ＩＴＯ（Indium Tin Oxide）やＩＺＯ（Indium Zinc Oxide）などの透明導電層であっても良い。これらの導電層は、陽極１３の電子注入特性を改善することができる。
【００３０】
また陽極１３は、基板１１と接する側に、陽極１３と基板１２との間の密着性を向上させるための導電層を設けて良い。このような導電層としては、ＩＴＯやＩＺＯなどの透明導電層が挙げられる。
【００３１】
そして、この有機電界発光素子１１を用いて構成される表示装置の駆動方式がアクティブマトリックス方式である場合には、陽極１３は画素毎にパターニングされ、基板１２に設けられた駆動用の薄膜トランジスタに接続された状態で設けられている。またこの場合、陽極１３の上には、ここでの図示を省略したが絶縁膜が設けられ、この絶縁膜の開口部から各画素の陽極１３の表面が露出されるように構成されていることとする。
【００３２】
＜正孔注入層/正孔輸送層＞
正孔注入層１４ａおよび正孔輸送層１４ｂは、それぞれ発光層１４ｃへの正孔注入効率を高めるためのものである。このような正孔注入層１４ａもしくは正孔輸送層１４ｂの材料としては、例えば、ベンジン、スチリルアミン、トリフェニルアミン、ポルフィリン、トリフェニレン、アザトリフェニレン、テトラシアノキノジメタン、トリアゾール、イミダゾール、オキサジアゾール、ポリアリールアルカン、フェニレンジアミン、アリールアミン、オキザゾール、アントラセン、フルオレノン、ヒドラゾン、スチルベンあるいはこれらの誘導体、または、ポリシラン系化合物、ビニルカルバゾール系化合物、チオフェン系化合物あるいはアニリン系化合物等の複素環式共役系のモノマー、オリゴマーあるいはポリマーを用いることができる。
【００３３】
また、上記正孔注入層１４ａもしくは正孔輸送層１４ｂのさらに具体的な材料としては、α−ナフチルフェニルフェニレンジアミン、ポルフィリン、金属テトラフェニルポルフィリン、金属ナフタロシアニン、ヘキサシアノアザトリフェニレン、７,７,８,８−テトラシアノキノジメタン（ＴＣＮＱ）、７,７,８,８−-テトラシアノ - ２，３，５，６- テトラフルオロキノジメタン（Ｆ４−ＴＣＮＱ）、テトラシアノ４、４、４−トリス（３−メチルフェニルフェニルアミノ）トリフェニルアミン、Ｎ、Ｎ、Ｎ’、Ｎ’−テトラキス（ｐ−トリル）ｐ−フェニレンジアミン、Ｎ、Ｎ、Ｎ’、Ｎ’−テトラフェニル−４、４’−ジアミノビフェニル、Ｎ−フェニルカルバゾール、４−ジ−ｐ−トリルアミノスチルベン、ポリ（パラフェニレンビニレン）、ポリ（チオフェンビニレン）、ポリ（２、２’−チエニルピロール）等が挙げられるが、これらに限定されるものではない。
【００３４】
＜発光層＞
発光層１４ｃは、陽極１３と陰極１５とに対する電圧印加時に、陽極１３側から注入された正孔と、陰極１５側から注入された電子とが再結合する領域である。本実施形態においては、この発光層１４ｃの構成が一つの特徴である。つまり発光層１４ｃは、赤色の発光性ゲスト材料がドーピングされたもので、さらに母骨格が環員数４〜７の多環式芳香族炭化水素化合物をホスト材料として用いたもので、赤色の発光光を発生する。
【００３５】
このうち、赤色の発光性ゲスト材料としては、例えば下記一般式（１）に示す化合物（スチリル誘導体）が用いられる。
【化１】
2008159775.tif 000004
【００３６】
ただし、一般式（１）中において、Ｔ1〜Ｔ3は炭素数３０以下の置換あるいは無置換のアリール基もしくは炭素数３０以下の置換あるいは無置換の複素環基を示す。また、Ｔ4は、Ｔ2およびＴ3と環状構造を有してもよい置換あるいは無置換のフェニレン部位を示す。
【００３７】
一般式（１）における、Ｔ1〜Ｔ3が示す置換あるいは無置換のアリール基は、炭素数３０以下から構成されるものが好ましく、例えば，フェニル基、１−ナフチル基、２−ナフチル基、フルオレニル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、１−クリセニル基，６−クリセニル基，２−フルオランテニル基，３−フルオランテニル基，２−ビフェニルイル基、３−ビフェニルイル基、４−ビフェニルイル基、ｏ−トリル基、ｍ−トリル基、ｐ−トリル基、ｐ−ｔ−ブチルフェニル基等が挙げられる。
【００３８】
また、Ｔ1〜Ｔ3が示す複素環基としては、ヘテロ原子としてＯ、Ｎ、Ｓを含有する５員または６員環の芳香族複素環基、炭素数２〜２０の縮合多環芳香複素環基が挙げられる。これらの芳香族複素環基および縮合多環芳香複素環基としては、チエニル基、フリル基、ピロリル基、ピリジル基、キノリル基、キノキサリル基、イミダゾピリジル基、ベンゾチアゾール基が挙げられる。代表的なものとしては，１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、などが挙げられる。
【００３９】
尚、上記置換基の２種以上は縮合環を形成していても良く、さらに置換基を有していても良い。この場合に、さらにＴ1〜Ｔ4に置換される基としては、例えば、水素、ハロゲン、ヒドロキシル基、炭素数２０以下の置換あるいは無置換のカルボニル基、炭素数２０以下の置換あるいは無置換のカルボニルエステル基、炭素数２０以下の置換あるいは無置換のアルキル基、炭素数２０以下の置換あるいは無置換のアルケニル基、炭素数２０以下の置換あるいは無置換のアルコキシル基、シアノ基、ニトロ基、アミノ基などが挙げられる。その他にも、アミノ基としては、アルキルアミノ基、アリールアミノ基、アラルキルアミノ基等のいずれでもよい。これらは、総炭素数１〜６の脂肪族及び／又は１〜４環の芳香族炭素環を有することが好ましい。このような基としては、ジメチルアミノ基、ジエチルアミノ基、ジブチルアミノ基、ジフェニルアミノ基、ジトリルアミノ基、ビスビフェニリルアミノ基、ジナフチルアミノ基が挙げられる。
【００４０】
また、発光層１４ｃにおける赤色の発光性ゲスト材料として用いる上記一般式（１）のスチリル誘導体は、分子量が２０００以下のものが好ましく、１５００以下がさらに好ましく、１０００以下が特に好ましい。この理由として、分子量が大きいと、蒸着によって素子を作成しようとした場合の蒸着性が悪くなるといった懸念が考えられるためである。
【００４１】
発光層１４ｃにおける赤色の発光性ゲスト材料として好適に用いられるスチリル誘導体の具体例として、以下の化合物（１）-1〜（１）-35が例示される。ただし本発明は、なんらこれらに限定されるものではない。
【化３−１】
2008159775.tif 000005
【化３−２】
2008159775.tif 000006
【化３−３】
2008159775.tif 000007
【化３−４】
2008159775.tif 000008
【００４２】
また発光層１４ｃを構成するホスト材料は、母骨格が環員数４〜７の多環式芳香族炭化水素化合物であり、ピレン，ベンゾピレン，クリセン，ナフタセン，ベンゾナフタセン，ジベンゾナフタセン，ペリレン，コロネンから選択されることとする。
【００４３】
なかでも、下記一般式（２）に示すナフタセン誘導体をホスト材料として用いることが好ましい。
【化２】
2008159775.tif 000009
【００４４】
ただし、一般式（２）中において、Ｒ1〜Ｒ8はそれぞれ独立に、水素、ハロゲン、ヒドロキシル基、炭素数２０以下の置換あるいは無置換のカルボニル基、炭素数２０以下の置換あるいは無置換のカルボニルエステル基、炭素数２０以下の置換あるいは無置換のアルキル基、炭素数２０以下の置換あるいは無置換のアルケニル基、炭素数２０以下の置換あるいは無置換のアルコキシル基、シアノ基、ニトロ基、炭素数３０以下の置換あるいは無置換のシリル基，炭素数３０以下の置換あるいは無置換のアリール基、炭素数３０以下の置換あるいは無置換の複素環基、もしくは炭素数３０以下の置換あるいは無置換のアミノ基を示す。
【００４５】
一般式（２）におけるＲ1〜Ｒ8が示すアリール基は、例えば、フェニル基、１−ナフチル基、２−ナフチル基、フルオレニル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、１−クリセニル基，６−クリセニル基，２−フルオランテニル基，３−フルオランテニル基，２−ビフェニルイル基、３−ビフェニルイル基、４−ビフェニルイル基、ｏ−トリル基、ｍ−トリル基、ｐ−トリル基、ｐ−ｔ−ブチルフェニル基等が挙げられる。
【００４６】
また，Ｒ1〜Ｒ8が示す複素環基は、ヘテロ原子としてＯ、Ｎ、Ｓを含有する５員または６員環の芳香族複素環基、炭素数２〜２０の縮合多環芳香複素環基が挙げられる。また、芳香族複素環基及び縮合多環芳香複素環基としては、チエニル基、フリル基、ピロリル基、ピリジル基、キノリル基、キノキサリル基、イミダゾピリジル基、ベンゾチアゾール基が挙げられる。代表的なものとしては，１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、などが挙げられる。
【００４７】
Ｒ1〜Ｒ8が示すアミノ基は、アルキルアミノ基、アリールアミノ基、アラルキルアミノ基等のいずれでもよい。これらは、総炭素数１〜６の脂肪族及び／又は１〜４環の芳香族炭素環を有することが好ましい。このような基としては、ジメチルアミノ基、ジエチルアミノ基、ジブチルアミノ基、ジフェニルアミノ基、ジトリルアミノ基、ビスビフェニリルアミノ基、ジナフチルアミノ基が挙げられる。
【００４８】
尚、上記置換基の２種以上は縮合環を形成していても良く、さらに置換基を有していてもよい。
【００４９】
また特に、上記一般式（２）で表されるナフタセン誘導体は、以下の一般式（２ａ）で表されるルブレン誘導体であることが好ましい。
【化４】
2008159775.tif 000010
【００５０】
一般式（２ａ）中、Ｒ11〜Ｒ15、Ｒ21〜Ｒ25、Ｒ31〜Ｒ35、Ｒ41〜Ｒ45は、それぞれ独立に水素原子、アリール基、複素環基、アミノ基、アリールオキシ基、アルキル基またはアルケニル基を示す。ただし、Ｒ11〜Ｒ15、Ｒ21〜Ｒ25、Ｒ31〜Ｒ35、Ｒ41〜Ｒ45は、それぞれ同一であることが好ましい。
【００５１】
また一般式（２ａ）中Ｒ5〜Ｒ8は、それぞれ独立に水素原子、置換基を有していてもよいアリール基、または置換基を有していてもよいアルキル基またはアルケニル基であることが好ましい。
【００５２】
一般式（２ａ）におけるアリール基、複素環基、およびアミノ基の好ましい態様は、一般式（２）のＲ1〜Ｒ8と同様であって良い。尚、Ｒ11〜Ｒ15、Ｒ21〜Ｒ25、Ｒ31〜Ｒ35、Ｒ41〜Ｒ45がアミノ基である場合、アルキルアミノ基、アリールアミノ基、またはアラルキルアミノ基であることとする。これらは、総炭素数１〜６の脂肪族や１〜４環の芳香族炭素環を有することが好ましい。このような基としては、ジメチルアミノ基、ジエチルアミノ基、ジブチルアミノ基、ジフェニルアミノ基、ジトリルアミノ基、ビスビフェニリルアミノ基が挙げられる。
【００５３】
以上のような発光層１４ｃのホスト材料として好適に用いられるナフタセン誘導体についての、より具体的な他の例としては、一般式（２ａ）のルブレン誘導体の一つである下記化合物（２）-1のルブレンが挙げられるが、この他にも以下の化合物（２）-2〜（２）-4が例示される。
【化５】
2008159775.tif 000011
【００５４】
＜光増感層＞
光増感層１４ｄは、発光層１４ｃに対してエネルギーを移動させ、発光層１４ｃにおける発光効率を向上させるための層である。本実施形態においては、このような光増感層１４ｄを、発光層１４ｃに接して設けたことがもう１つの特徴である。このような光増感層１４ｄは、発光層１４ｃよりも短波長の発光を生じる発光性ゲスト材料が、ホスト材料に対してドーピングされたものである。
【００５５】
このうち発光性ゲスト材料としては、発光効率が高い材料、例えば、低分子蛍光色素、蛍光性の高分子、さらには金属錯体等の有機発光材料が用いられる。本実施形態においては、これらの材料の中から、青色の発光性ゲスト材料または緑色の発光性ゲスト材料が用いられる。
【００５６】
青色の発光性ゲスト材料とは、発光の波長範囲が約４００ｎｍ〜４９０ｎｍの範囲にピークを有する化合物を示す。このよう化合物として、ナフタレン誘導体、アントラセン誘導体、ナフタセン誘導体、スチリルアミン誘導体、ビス（アジニル）メテンホウ素錯体などの有機物質が用いられる。なかでも、アミノナフタレン誘導体、アミノアントラセン誘導体、アミノクリセン誘導体、アミノピレン誘導体、スチリルアミン誘導体、ビス（アジニル）メテンホウ素錯体から選択されることが好ましい。
【００５７】
一方、緑色の発光性ゲスト材料とは、発光の波長範囲が約４９０ｎｍ〜５８０ｎｍの範囲にピークを有する化合物を示す。このような化合物として、ナフタレン誘導体、アントラセン誘導体、ピレン誘導体、ナフタセン誘導体、フルオランテン誘導体、ペリレン誘導体、クマリン誘導体、キナクリドン誘導体，インデノ[1,2,3-cd]ペリレン誘導体、ビス（アジニル）メテンホウ素錯体ピラン系色素等の有機物質が用いられる。なかでもアミノアントラセン誘導体，フルオランテン誘導体、クマリン誘導体，キナクリドン誘導体，インデノ[1,2,3-cd]ペリレン誘導体、ビス（アジニル）メテンホウ素錯体から選択されることが好ましい。
【００５８】
また光増感層１４ｄのホスト材料は、炭素数６以上６０以下の芳香族炭化水素の誘導体、もしくはその連結からなる有機材料である。その具体的な例としては、例えばナフタレン誘導体、インデン誘導体、フェナントレン誘導体、ピレン誘導体、ナフタセン誘導体、トリフェニレン誘導体、アントラセン誘導体、ペリレン誘導体、ピセン誘導体、フルオランテン誘導体、アセフェナントリレン誘導体、ペンタフェン誘導体、ペンタセン誘導体、コロネン誘導体、ブタジエン誘導体、スチルベン誘導体、トリス（８−キノリノラト）アルミニウム錯体、ビス（ベンゾキノリノラト）ベリリウム錯体などを用いることができる。
【００５９】
以上のホスト材料は、発光性ゲスト材料毎に最も発光効率が高くなるホスト材料が選択して用いられることとする。
【００６０】
尚、このような構成の光増感層１４ｄは、発光層１４ｃに対して接して設けられていることが重要である。このため、この光増感層１４ｄは、上述したように発光層１４ｃと陰極１５との間に設けられることに限定されず、発光層１４ｃと陽極１３との間において発光層１４ｃに接して設けられていても良い。
【００６１】
＜電子輸送層＞
電子輸送層１４ｅは、陰極１５から注入される電子を発光層１４ｃに輸送するためのものである。電子輸送層１４ｅの材料としては、例えば、キノリン、ペリレン、フェナントロリン、ビススチリル、ピラジン、トリアゾール、オキサゾール、オキサジアゾール、フルオレノン、またはこれらの誘導体や金属錯体が挙げられる。具体的には、トリス（８−ヒドロキシキノリン）アルミニウム（略称Ａｌｑ3 ）、アントラセン、ナフタレン、フェナントレン、ピレン、アントラセン、ペリレン、ブタジエン、クマリン、アクリジン、スチルベン、１，１０−フェナントロリンまたはこれらの誘導体や金属錯体が挙げられる。
【００６２】
尚、有機層１４は、このような層構造に限定されることはなく、少なくとも発光層１４ｃと、これに接して光増感層１４ｄが設けられていれば良く、その他必要に応じた積層構造を選択することができる。
【００６３】
また、発光層１４ｃは、正孔輸送性の発光層、電子輸送性の発光層、あるいは両電荷輸送性の発光層として有機電界発光素子１１に設けられていても良い。さらに、以上の有機層１４を構成する各層、例えば正孔注入層１４ａ、正孔輸送層１４ｂ、発光層１４ｃ、光増感層１４ｄ、および電子輸送層１４ｅは、それぞれが複数層からなる積層構造であっても良い。
【００６４】
＜陰極＞
次に、このような構成の有機層１４上に設けられる陰極１５は、例えば、有機層１４側から順に第１層１５ａ、第２層１５ｂを積層させた２層構造で構成されている。
【００６５】
第１層１５ａは、仕事関数が小さく、かつ光透過性の良好な材料を用いて構成される。このような材料としては、例えばリチウム（Ｌｉ）の酸化物である酸化リチウム（Ｌｉ2Ｏ）や、セシウム（Ｃｓ）の複合酸化物である炭酸セシウム（Ｃｓ2ＣＯ3）、さらにはこれらの酸化物及び複合酸化物の混合物を用いることができる。また、第１層１５ａは、このような材料に限定されることはなく、例えば、カルシウム（Ｃａ）、バリウム（Ｂａ）等のアルカリ土類金属、リチウム、セシウム等のアルカリ金属、さらにはインジウム（Ｉｎ）、マグネシウム（Ｍｇ）等の仕事関数の小さい金属、さらにはこれらの金属の酸化物及び複合酸化物、フッ化物等を、単体でまたはこれらの金属および酸化物及び複合酸化物、フッ化の混合物や合金として安定性を高めて使用しても良い。
【００６６】
第２層１５ｂは、例えば、ＭｇＡｇなどの光透過性を有する層を用いた薄膜により構成されている。この第２層１５ｂは、さらに、アルミキノリン錯体、スチリルアミン誘導体、フタロシアニン誘導体等の有機発光材料を含有した混合層であっても良い。この場合には、さらに第３層としてＭｇＡｇのような光透過性を有する層を別途有していてもよい。
【００６７】
以上のような陰極１５は、この有機電界発光素子１１を用いて構成される表示装置の駆動方式がアクティブマトリックス方式である場合、陰極１５は、有機層１４とここでの図示を省略した上述の絶縁膜とによって、陽極１３と絶縁された状態で基板１２上にベタ膜状に形成され、各画素の共通電極として用いられる。
【００６８】
尚、陰極１５は上記のような積層構造に限定されることはなく、作製されるデバイスの構造に応じて最適な組み合わせ、積層構造を取れば良いことは言うまでもない。例えば、上記実施形態の陰極１５の構成は、電極各層の機能分離、すなわち有機層１４への電子注入を促進させる無機層（第１層１５ａ）と、電極を司る無機層（第２層１５ｂ）とを分離した積層構造である。しかしながら、有機層１４への電子注入を促進させる無機層が、電極を司る無機層を兼ねても良く、これらの層を単層構造として構成しても良い。また、この単層構造上にＩＴＯなどの透明電極を形成した積層構造としても良い。
【００６９】
そして上記した構成の有機電界発光素子１１に印加する電流は、通常、直流であるが、パルス電流や交流を用いてもよい。電流値、電圧値は、素子が破壊されない範囲内であれば特に制限はないが、有機電界発光素子の消費電力や寿命を考慮すると、なるべく小さい電気エネルギーで効率良く発光させることが望ましい。
【００７０】
また、この有機電界発光素子１１が、キャビティ構造となっている場合、陰極１５が半透過半反射材料を用いて構成される。そして、陽極１３側の光反射面と、陰極１５側の光反射面との間で多重干渉させた発光光が陰極１５側から取り出される。この場合、陽極１３側の光反射面と陰極１５側の光反射面との間の光学的距離は、取り出したい光の波長によって規定され、この光学的距離を満たすように各層の膜厚が設定されていることとする。そして、このような上面発光型の有機電界発光素子においては、このキャビティ構造を積極的に用いることにより、外部への光取り出し効率の改善や発光スペクトルの制御を行うことが可能である。
【００７１】
さらに、ここでの図示は省略したが、このような構成の有機電界発光素子１１は、大気中の水分や酸素等による有機材料の劣化を防止するため保護層（パッシベーション層）で覆われた状態で用いることが好ましい。保護膜には、窒化珪素（代表的には、Ｓｉ3Ｎ4）、酸化珪素（代表的には、ＳｉＯ2）膜、窒化酸化珪素（ＳｉＮxＯy：組成比Ｘ＞Ｙ）膜、酸化窒化珪素（ＳｉＯxＮy：組成比Ｘ＞Ｙ）膜、またはＤＬＣ（Ｄｉａｍｏｎｄ ｌｉｋｅ Ｃａｒｂｏｎ）のような炭素を主成分とする薄膜、ＣＮ（Ｃａｒｂｏｎ  Ｎａｎｏｔｕｂｅ）膜等が用いられる。これらの膜は、単層または積層させた構成とすることが好ましい。なかでも、窒化物からなる保護層は膜質が緻密であり、有機電界発光素子１１に悪影響を及ぼす水分、酸素、その他不純物に対して極めて高いブロッキング効果を有するため好ましく用いられる。
【００７２】
尚、以上の実施形態においては、有機電界発光素子が上面発光型である場合を例示して本発明を詳細に説明した。しかしながら、本発明の有機電界発光素子は、上面発光型への適用に限定されるものではなく、陽極と陰極との間に少なくとも発光層を有する有機層を挟持してなる構成に広く適用可能である。したがって、基板側から順に、陰極、有機層、陽極を順次積層した構成のものや、基板側に位置する電極（陰極または陽極としての下部電極）を透明材料で構成し、基板と反対側に位置する電極（陰極または陽極としての上部電極）を反射材料で構成することによって、下部電極側からのみ光を取り出すようにした、下面発光型と同様に対応下さい。の有機電界発光素子にも適用可能である。
【００７３】
さらに、本発明の有機電界発光素子とは、一対の電極（陽極と陰極）、およびその電極間に有機層が挟持されることによって形成される素子であれば良い。このため、一対の電極および有機層のみで構成されたものに限定されることはなく、本発明の効果を損なわない範囲で他の構成要素（例えば、無機化合物層や無機成分）が共存することを排除するものではない。
【００７４】
以上のように構成された有機電界発光素子１１では、以降の実施例で詳細に説明するように、光増感層１４ｄを設けていない構成の素子と比較して、電流効率が上昇することが確認された。
【００７５】
しかも、赤色の発光層１４ｃに対して、青色または緑色に発光する光増感層１４ｄを積層させた構造をとるものの、電界を印加しても光増感層１４ｄからの発光による混色は生じず、赤色の発光を得ることができる。これは、光増感層１４ｄにおいては、赤色の発光層１４ｃを貫いてきた正孔と電子輸送層１４eを介在して注入された電子とが再結合しているものの、その再結合によって放出されるエネルギーは、隣接する赤色の発光層１４ｃを構成するホスト材料の電子を励起させるように作用し、赤色の発光層１４ｃにおいての発光に寄与しているためであると考えられる。尚、このような現象は、以下の実施例に対する比較例として示すように、光増感層１４ｄをホスト材料のみによって構成した場合には、目的である赤色の発光層が殆ど発光しなくなる現象から類推することが出来る。
【００７６】
以上から、上述した構成の有機電界発光素子１１によれば、色純度を保ちつつ赤色の発光光の発光効率の向上を図ることが可能である。
【００７７】
また、このような発光効率の大幅な改善により、有機電界発光素子１１の輝度寿命の向上と消費電力の低減を達成可能である。
【００７８】
≪表示装置の概略構成≫
図２は、実施形態の表示装置１０の一例を示す図であり、図２（Ａ）は概略構成図、図２（Ｂ）は画素回路の構成図である。ここでは、発光素子として有機電界発光素子１１を用いたアクティブマトリックス方式の表示装置１０に本発明を適用した実施形態を説明する。
【００７９】
図２（Ａ）に示すように、この表示装置１０の基板１２上には、表示領域１２ａとその周辺領域１２ｂとが設定されている。表示領域１２ａは、複数の走査線２１と複数の信号線２３とが縦横に配線されており、それぞれの交差部に対応して１つの画素ａが設けられた画素アレイ部として構成されている。これらの各画素ａに、有機電界発光素子１１Ｒ（１１），１１Ｇ，１１Ｂのうちの１つが設けられている。また周辺領域１２ｂには、走査線２１を走査駆動する走査線駆動回路ｂと、輝度情報に応じた映像信号（すなわち入力信号）を信号線２３に供給する信号線駆動回路ｃとが配置されている。
【００８０】
図２（Ｂ）に示すように、各画素ａに設けられる画素回路は、例えば各有機電界発光素子１１Ｒ（１１），１１Ｇ，１１Ｂのうちの１つと、駆動トランジスタＴｒ１、書き込みトランジスタ（サンプリングトランジスタ）Ｔｒ２、および保持容量Ｃｓで構成されている。そして、走査線駆動回路ｂによる駆動により、書き込みトランジスタＴｒ２を介して信号線２３から書き込まれた映像信号が保持容量Ｃｓに保持され、保持された信号量に応じた電流が各有機電界発光素子１１Ｒ（１１），１１Ｇ，１１Ｂに供給され、この電流値に応じた輝度で有機電界発光素子１１Ｒ（１１），１１Ｇ，１１Ｂが発光する。
【００８１】
尚、以上のような画素回路の構成は、あくまでも一例であり、必要に応じて画素回路内に容量素子を設けたり、さらに複数のトランジスタを設けて画素回路を構成しても良い。また、周辺領域２ｂには、画素回路の変更に応じて必要な駆動回路が追加される。
【００８２】
≪表示装置の断面構成−１≫
図３には、上記表示装置１０の表示領域における主要部の断面構成の第１の例を示す。
【００８３】
有機電界発光素子１１Ｒ（１１），１１Ｇ，１１Ｂが設けられる基板１２の表示領域には、ここでの図示を省略したが、上述した画素回路を構成するように駆動トランジスタ、書き込みトランジスタ、走査線、および信号線が設けられ(図２参照）、これらを覆う状態で絶縁膜が設けられている。
【００８４】
この絶縁膜で覆われた基板１２上に、有機電界発光素子１１Ｒ（１１），１１Ｇ，１１Ｂが配列形成されている。各有機電界発光素子１１Ｒ（１１）、１１Ｇ、１１Ｂは、基板１２と反対側から光を取り出す上面発光型の素子として構成される。
【００８５】
各有機電界発光素子１１Ｒ（１１），１１Ｇ，１１Ｂの陽極１３は、素子毎にパターン形成されている。各陽極１３は、基板１２の表面を覆う絶縁膜に形成された接続孔を介して画素回路の駆動トランジスタに接続されている。
【００８６】
各陽極１３は、その周縁部が絶縁膜３１で覆われており、絶縁膜３１に設けた開口部分に陽極１３の中央部が露出された状態となっている。そして、陽極１３の露出部分を覆う状態で、有機層１４がパターン形成され、各有機層１４を覆う共通層として陰極１５が設けられた構成となっている。
【００８７】
これらの有機電界発光素子１１Ｒ（１１），１１Ｇ，１１Ｂのうち、特に赤色発光素子１１Ｒが上記図１を用いて説明した実施形態の有機電界発光素子（１１）として構成されている。これに対して、緑色発光素子１１Ｇおよび青色発光素子１１Ｂは、通常の素子構成であって良い。
【００８８】
つまり、赤色発光素子１１Ｒ（１１）において、陽極１３上に設けられた有機層１４は、例えば陽極１３側から順に、正孔注入層１４ａ、正孔輸送層１４ｂ、ホスト材料としてナフタセン誘導体を用いた赤色の発光層１４ｃ-R（１４ｃ）、緑または青などの短波長の発光を生じる発光性ゲスト材料をホスト材料にドーピングしてなる光増感層１４ｄ、および電子輸送層１４ｅを積層させている。本第１の例においては、光増感層１４ｄには、青色の発光性ゲスト材料がドーピングされていることとする。
【００８９】
一方、緑色発光素子１１Ｇおよび青色発光素子１１Ｂにおける有機層は、例えば陽極１３側から順に、正孔注入層１４ａ、正孔輸送層１４ｂ、各色の発光層１４ｃ-G，１４ｃ-B、および電子輸送層１４ｅをこの順に積層させている。
【００９０】
尚、赤色発光素子１１Ｒ（１１）における光増感層１４ｄは、青色の発光性ゲスト材料がドーピングされたものであり、例えば青色発光素子１１Ｂにおける青色の発光層１４ｃ-Bと同一構成（材料）であって良い。またこの他にも、発光層１４ｃ-R，１４ｃ-G，１４ｃ-B、および光増感層１４ｄ以外の各層は、陽極１３および陰極１５も含めて各有機電界発光素子１１Ｒ，１１Ｇ，１１Ｂにおいて同一材料で構成されていて良く、図１を用いて説明した各材料を用いて構成される。
【００９１】
そして、以上のように設けられた複数の有機電界発光素子１１Ｒ（１１），１１Ｇ，１１Ｂは、保護膜で覆われていることとする。尚、この保護膜は、有機電界発光素子１１Ｒ，１１Ｇ，１１Ｂが設けられた表示領域の全体を覆って設けられていることとする。
【００９２】
ここで、赤色発光素子１１Ｒ（１１）、緑色発光素子１１Ｇ、および青色発光素子１１Ｂを構成する陽極１３〜陰極１５までの各層は、真空蒸着法、イオンビーム法（ＥＢ法）、分子線エピタキシー法（ＭＢＥ法）、スパッタ法、Ｏrganic Ｖapor Ｐhase Ｄeposition（ＯＶＰＤ）法などのドライプロセスによって形成できる。
【００９３】
また、有機層であれば、以上の方法に加えてレーザー転写法、スピンコート法、ディッピング法、ドクターブレード法、吐出コート法、スプレーコート法などの塗布法、インクジェット法、オフセット印刷法、凸版印刷法、凹版印刷法、スクリーン印刷法、マイクログラビアコート法などの印刷法などのウエットプロセスによる形成も可能であり、各有機層や各部材の性質に応じて、ドライプロセスとウエットプロセスを併用しても構わない。
【００９４】
そして、以上のように各有機電界発光素子１１Ｒ（１１），１１Ｇ，１１Ｂ毎にパターン形成された有機層１４は、例えばマスクを用いた蒸着法や転写法によって形成される。
【００９５】
このように構成された第１の例の表示装置１０では、赤色発光素子１１Ｒとして、図1を用いて説明した本発明構成の有機電界発光素子（１１）を用いている。この赤色発光素子１１Ｒ（１１）は、上述したように赤色の発光色を保ちつつも発光効率が高い。このため、この赤色発光素子１１Ｒ（１１）と共に、緑色発光素子１１Ｇおよび青色発光素子１１Ｂを組み合わせることで、色表現性の高いフルカラー表示を行うことが可能になる。
【００９６】
また、発光効率の高い有機電界発光素子（１１）を用いたことにより、表示装置１０において輝度寿命を改善できるとともに消費電力を低減させる効果をもたらす。したがって、壁掛けテレビ等のフラットパネルディスプレイや平面発光体として好適に使用することができ、複写機やプリンター等の光源、液晶ディスプレイや計器類等の光源、表示板、標識灯等への応用が可能となる。
【００９７】
≪表示装置の断面構成−２≫
図４には、表示装置１０の表示領域における主要部の断面構成の第２の例を示す。
【００９８】
図４に示す第２の例の表示装置１０が、図３に示した第１の例と異なるところは、各有機電界発光素子１１Ｒ（１１），１１Ｇ，１１Ｂにおいて、発光層１４ｃ-R、１４ｃ-Gよりも上方の層を共通層として連続形成しているところにあり、それ以外は同様の構成であって良い。この場合、青色の発光層１４ｃ-B、電子輸送層１４ｅ、および陰極１５が共通層として、複数の画素間にわたる連続パターンの形状で設けられている。
【００９９】
共通層となる青色の発光層１４ｃ-Bは、赤色発光素子１１Ｒ（１１）においては光増感層１４ｄとして設けられることになる。一方、緑色発光素子１１Ｇに設けられた青色の発光層１４ｃ-B部分において生じた青色の発光光は、緑色の発光層１４ｃ-Gにおいて吸収されて緑色の発光に寄与する。またこの場合、各有機電界発光素子１１Ｒ（１１），１１Ｇ，１１Ｂにおいては、有機層の構造を各色の発光光を取り出すキャビティ構造として構成することにより、取り出される発光光の色純度の向上が図られる。
【０１００】
このように構成された第２の例の表示装置１０では、第１の例と同様の効果が得られる。また特に、青色の発光層１４ｃ-B（光増感層１４ｄ）から上層の各層を、大口径のエリアマスクを用いて表示領域に対して一括成膜することができる。これにより、表示装置１０の製造工程の簡略化を図ることが可能である。
【０１０１】
≪表示装置の断面構成−３≫
図５には、表示装置１０の表示領域における主要部の断面構成の第３の例を示す。
【０１０２】
図５に示す第３の例の表示装置１０では、各有機電界発光素子１１Ｒ（１１），１１Ｇ，１１Ｂにおいて、陽極１３および発光層１４ｃ-R、１４ｃ-G以外の層を共通層としており、他の構成は第１の例と同様であって良い。つまり、第２の例において共通層とした青色の発光層１４ｃ-B（光増感層１４ｄ）、電子輸送層１４ｅ、および陰極１５に加えて、さらに発光層よりも下層の正孔注入層１４ａ、正孔輸送層１４ｂも共通層として用いているのである。
【０１０３】
このように構成された第３の例の表示装置１０であっても、第２の例と同様の効果を得ることができ、第２の例よりもさらに製造工程の簡略化を図ることができる。
【０１０４】
≪表示装置の断面構成−４≫
図６には、表示装置１０の表示領域における主要部の断面構成の第４の例を示す。
【０１０５】
この図に示す構成は、赤色発光素子１１Ｒ（１１）における光増感層１４ｄに、緑色の発光性ゲスト材料がドーピングされているところが、図３に示す第１の例と異なり、他の構成は第１の例と同様であることとする。
【０１０６】
この場合、赤色発光素子１１Ｒ（１１）における光増感層１４ｄは、緑色発光素子１１Ｇにおける緑色の発光層１４ｃ-Gと同一構成であって良い。また、この光増感層１４ｄ以外の構成は、第１の例と同様であって良い。
【０１０７】
このように構成された第４の例の表示装置１０であっても、第１の例と同様の効果を得ることができる。
【０１０８】
≪表示装置の断面構成−５≫
図７には、表示装置１０の表示領域における主要部の断面構成の第５の例を示す。
【０１０９】
図７に示す第５の例の表示装置１０が、図６に示した第２の例と異なるところは、光増感層１４ｄ（１４ｃ-G）と発光層１４ｃ-Gとを各有機電界発光素子１１Ｒ（１１），１１Ｇにおいて共通の連続パターンとして形成し、さらに電子輸送層１４ｅを全画素に共通層の連続パターンとして形成しているところにあり、それ以外は同様の構成であって良い。
【０１１０】
このように構成された第５の例の表示装置１０であっても、第１の例と同様の効果を得ることができる。さらに各有機電界発光素子１１Ｒ（１１），１１Ｇにおいて光増感層１４ｄ（１４ｃ-G）と発光層１４ｃ-Gを共通層として連続パターンで形成し、さらに電子輸送層１４ｅを全画素で同時に成膜させることが可能であるため、表示装置１０の製造工程の簡略化を図ることが可能である。
【０１１１】
≪表示装置の断面構成−６≫
図８には、表示装置１０の表示領域における主要部の断面構成の第６の例を示す。
【０１１２】
図８に示す第６の例の表示装置１０では、各有機電界発光素子１１Ｒ（１１），１１Ｇ，１１Ｂにおいて、陽極１３および発光層１４ｃ-R、１４ｃ-G、１４ｃ-B以外の層を共通層としており、他の構成は図７に示した第５の例と同様であって良い。つまり、図７の第５の例に対して、さらに発光層よりも下層の正孔注入層１４ａ、正孔輸送層１４ｂも共通層として用いているのである。
【０１１３】
このように構成された第６の例の表示装置１０であっても、第５の例と同様の効果を得ることができ、第５の例よりもさらに製造工程の簡略化を図ることができる。
【０１１４】
≪表示装置の断面構成−７≫
図９には、表示装置１０の表示領域における主要部の断面構成の第７の例を示す。
【０１１５】
この図に示すように、各有機電界発光素子１１Ｒ，１１Ｇ，１１Ｂは、発光層１４ｃ-R、１４ｃ-Bよりも上方の層を共通層としても良い。この場合、光増感層１４ｄを兼ねた緑色の発光層１４ｃ-G、電子輸送層１４ｅ、および陰極１５を、全表示領域に共通の連続パターンとして形成し、それ以外はパターニングされた層として用いる。
【０１１６】
全画素の共通層となる緑色の発光層１４ｃ-Gは、赤色発光素子１１Ｒ（１１）においては光増感層１４ｄとして設けられることになる。一方、青色発光素子１１Ｂにも緑色の発光層１４ｃ-Gが積層されることになる。このような構成であっても、青色の発光層１４ｃ-Bの膜厚が充分に厚い場合、または青色発光中心が正孔輸送層１４b界面に局在する場合には、この様な構成をとった場合でも色度の良い青色発光を得ることは充分に可能である。さらに、各有機電界発光素子１１Ｒ（１１），１１Ｇ，１１Ｂにおいては、有機層の構造を各色の発光光を取り出すキャビティ構造として構成することにより、青色発光素子１１Ｂからは青色の発光光のみが取り出されるように構成しても良い。
【０１１７】
このような構成の表示装置１０の製造においては、緑色の発光層１４ｃ-G（光増感層１４ｄ）から上層の各層は、大口径のエリアマスクを用いて表示領域に対して一括成膜することができる。したがって、表示装置１０の製造工程の簡略化を図ることが可能である。
【０１１８】
尚、第７の例においても、発光層よりも下層の正孔注入層１４ａや正孔輸送層１４ｂを全表示領域の共通層（連続的パターン）として用いることも可能であり、これによってさらなる表示装置１０の製造工程の簡略化を図ることが可能である。
【０１１９】
また、以上の第１の例〜第７の例においては、アクティブマトリックス型の表示装置に本発明を適用した実施形態を説明した。しかしながら、本発明の表示装置は、パッシブマトリックス型の表示装置への適用も可能であり、同様の効果を得ることができる。
【０１２０】
以上説明した本発明に係る表示装置は、図１０に開示したような、封止された構成のモジュール形状のものをも含む。例えば、画素アレイ部である表示領域１２ａを囲むようにシーリング部３１が設けられ、このシーリング部３１を接着剤として、透明なガラス等の対向部（封止基板３２）に貼り付けられ形成された表示モジュールが該当する。この透明な封止基板３２には、カラーフィルタ、保護膜、遮光膜等が設けられてもよい。尚、表示領域１２ａが形成された表示モジュールとしての基板１２には、外部から表示領域１２ａ（画素アレイ部）への信号等を入出力するためのフレキシブルプリント基板３３が設けられていても良い。
【０１２１】
≪適用例≫
また以上説明した本発明に係る表示装置は、図１１〜図１５に示す様々な電子機器、例えば、デジタルカメラ、ノート型パーソナルコンピュータ、携帯電話等の携帯端末装置、ビデオカメラなど、電子機器に入力された映像信号、若しくは、電子機器内で生成した映像信号を、画像若しくは映像として表示するあらゆる分野の電子機器の表示装置に適用することが可能である。以下に、本発明が適用される電子機器の一例について説明する。
【０１２２】
図１１は、本発明が適用されるテレビを示す斜視図である。本適用例に係るテレビは、フロントパネル１０２やフィルターガラス１０３等から構成される映像表示画面部１０１を含み、その映像表示画面部１０１として本発明に係る表示装置を用いることにより作成される。 
【０１２３】
図１２は、本発明が適用されるデジタルカメラを示す図であり、（Ａ）は表側から見た斜視図、（Ｂ）は裏側から見た斜視図である。本適用例に係るデジタルカメラは、フラッシュ用の発光部１１１、表示部１１２、メニュースイッチ１１３、シャッターボタン１１４等を含み、その表示部１１２として本発明に係る表示装置を用いることにより作製される。
【０１２４】
図１３は、本発明が適用されるノート型パーソナルコンピュータを示す斜視図である。本適用例に係るノート型パーソナルコンピュータは、本体１２１に、文字等を入力するとき操作されるキーボード１２２、画像を表示する表示部１２３等を含み、その表示部１２３として本発明に係る表示装置を用いることにより作製される。 
【０１２５】
図１４は、本発明が適用されるビデオカメラを示す斜視図である。本適用例に係るビデオカメラは、本体部１３１、前方を向いた側面に被写体撮影用のレンズ１３２、撮影時のスタート／ストップスイッチ１３３、表示部１３４等を含み、その表示部１３４として本発明に係る表示装置を用いることにより作製される。
【０１２６】
図１５は、本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含み、そのディスプレイ１４４やサブディスプレイ１４５として本発明に係る表示装置を用いることにより作製される。
【実施例】
【０１２７】
本発明の具体的な実施例および比較例の有機電界発光素子の製造手順を、図１を参照して説明し、次にこれらの評価結果を説明する。
【０１２８】
＜実施例１〜４＞
【０１２９】
先ず、３０ｍｍ×３０ｍｍのガラス板からなる基板１２上に、陽極１３として、膜厚が１９０ｎｍのＡｇ合金（反射層）上に１２．５ｎｍのＩＴＯ透明電極を積層した上面発光用の有機電界発光素子用のセルを作製した。
【０１３０】
次に、真空蒸着法により、有機層１４の正孔注入層１４ａとして、下記構造式（１０１）に示されるｍ−ＭＴＤＡＴＡよりなる膜を１２ｎｍの膜厚（蒸着速度０．２〜０．４ｎｍ／ｓｅｃ）で形成した。ただし、ｍ−ＭＴＤＡＴＡは、4、4'、4”−トリス（フェニル−ｍ−トリルアミノ）トリフェニルアミンである。
【化６】
2008159775.tif 000012
【０１３１】
次いで、正孔輸送層１４ｂとして、下記構造式（１０２）に示されるα−ＮＰＤよりなる膜を１２ｎｍの膜厚（蒸着速度０．２〜０．４ｎｍ／ｓｅｃ）で形成した。ただし、α−ＮＰＤは、Ｎ、Ｎ’−ビス（１−ナフチル）−Ｎ、Ｎ’−ジフェニル[１、１’-ビフェニル]−４、４’―ジアミンである。
【化７】
2008159775.tif 000013
【０１３２】
次に、正孔輸送層１４ｂ上に、膜厚３０ｎｍの発光層１４ｃを蒸着成膜した。この際、ルブレンをホスト材料として用い、これに下記構造式（１０３）に示されるスチリル誘導体を赤色の発光性ゲスト材料として相対膜厚比で１％ドーピングした。
【化８】
2008159775.tif 000014
【０１３３】
このようにして形成された発光層１４ｃ上に、膜厚２５ｎｍの光増感層１４ｄを蒸着成膜した。この際、下記構造式（１０４）に示される９，１０−ジ（２−ナフチル）アントラセン（ＡＤＮ）をホスト材料として用い、これに下記構造式（１０５）に示されるスチリルアミン誘導体を青色の発光性ゲスト材料としてドーピングした。青色の発光性ゲスト材料は、実施例１〜４において２％、５％、１０％、１５％の各ドーピング量（相対膜厚比）とした。
【化９】
2008159775.tif 000015
【０１３４】
次いで、電子輸送層１４ｅとして、下記構造式（１０６）に示すＡｌｑ３（８−ヒドロキシキノリンアルミニウム）を１０ｎｍの膜厚で蒸着した。
【化１０】
2008159775.tif 000016
【０１３５】
以上のようにして、正孔注入層１４ａ、正孔輸送層１４ｂ、発光層１４ｃ、光増感層１４ｄおよび電子輸送層１４ｅを順次積層してなる有機層１４を形成した後、陰極１５の第１層１５ａとして、ＬｉＦよりなる膜を真空蒸着法により約０．３ｎｍ（蒸着速度０．０１ｎｍ／ｓｅｃ．）の膜厚で形成した。最後に、真空蒸着法により、第１層１５ａ上に陰極１５の第２層１５ｂとして膜厚１０ｎｍのＭｇＡｇ膜を形成した。
【０１３６】
以上のようにして、実施例１〜４の有機電界発光素子を作製した。
【０１３７】
＜実施例５〜９＞
実施例１〜４で説明した有機電界発光素子の作製手順おける光増感層１４ｄの形成で、青色の発光性ゲスト材料として構造式（１０７）〜構造式（１１１）に示す材料をそれぞれ用いて光増感層１４ｄを形成した。ゲスト材料のドーピング量は、実施例５〜８では相対膜厚比で５％、実施例９では相対膜厚比で１％とした。これ以外は、実施例１〜４と同様に行った。
【０１３８】
【化１１】
2008159775.tif 000017
【０１３９】
＜比較例１＞
実施例１〜４で説明した有機電界発光素子の作製手順における光増感層１４ｄの形成を行わず、代わりにＡｌｑ３（８−ヒドロキシキノリンアルミニウム）からなる電子輸送層の膜厚を４５ｎｍに厚膜化した。これ以外は、実施例１〜４と同様に行った。
【０１４０】
＜比較例２＞
実施例１〜４で説明した有機電界発光素子の作製手順おける光増感層１４ｄの形成で、青色の発光性ゲスト材料をドーパントせずにホスト材料のみで光増感層１４ｄを形成した。これ以外は、実施例１〜４と同様に行った。
【０１４１】
＜評価結果＞
以上の実施例１〜９および比較例１，２で作製した各有機電界発光素子について、電流密度１０ｍＡ/ｃｍ2での駆動時における駆動電圧（Ｖ）、電流効率（ｃｄ／Ａ）、色座標（ｘ、ｙ）を測定した。この結果を、下記表１に示す。
【０１４２】
【表１】
2008159775.tif 000018
【０１４３】
以上の表１に示すように、本発明を適用した実施例１〜９の有機電界発光素子の何れにおいても、本発明の適用がない比較例１，２の有機電界発光素子よりも、同程度の駆動電圧で電流効率が２倍近い高い値を示した。このことは、ホスト材料（ＡＤＮ）と発光性ゲスト材料とで構成された光増感層１４ｄで再結合されたエネルギーが、発光層１４ｃにおいての光増感（発光量増加）の効果をもたらすことを示している。
【０１４４】
また、実施例１〜９の有機電界発光素子では、ホスト中に青色の発光性ゲストをドーパントした光増感層１４ｄを赤色の発光層１４ｃに積層させたにもかかわらず、発光光の色座標においても赤色の発光が確認され、青色の発光に由来する混色の影響はなかった。特に、光増感層１４ｄにドーパントする発光性ゲスト材料の種類を変更した実施例５〜９の何れの有機電界発光素子においても、赤色発光が確認された。このことからすれば、本発明の構成によれば、光増感層１４ｄの発光性ゲスト材料にかかわらず、赤色の発光層１４ｃで発生した赤色の発光が取り出されることが確認された。
【０１４５】
以上の結果から、赤色の発光層１４ｃを構成するホスト材料およびドーパント材料として公知の有機材料の中から選択された材料を使用し、この発光層１４ｃに隣接させて種々の青色発色性ゲストを含有させた光増感層１４ｄを設けた本発明の構成では、赤色の色純度を維持しつつも、大幅な発光効率（電流効率）の向上を図ることが可能であることが確認された。
【０１４６】
またこれは、この有機電界発光素子とともに、緑色発光素子および青色発光素子を１組にして画素を構成することにより、色再現性の高いフルカラー表示が可能になることを示している。
【０１４７】
＜実施例１０〜１３＞
実施例１〜４で説明した有機電界発光素子の作製手順おける光増感層１４ｄの形成において用いる発光性のゲスト材料を、緑色の発光性ゲスト材料に変更したこと以外は、実施例１〜４と同様の手順を行った。ここでは、緑色の発光性ゲスト材料として、下記構造式（１１２）に示すジアミノアントラセン誘導体を用いた。緑色の発光性ゲスト材料は、実施例１０〜１３において２％、５％、１０％、１５％の各ドーピング量（相対膜厚比）とした。
【化１２】
2008159775.tif 000019
【０１４８】
尚、構造式（１１２）に示すジアミノアントラセン誘導体の合成は、米国論文Chemistry of Materials，第１４巻，３９５８ページ〜３９６３ページ，２００２年の記載に基づいて行った。
【０１４９】
＜実施例１４〜１８＞
実施例１〜４で説明した有機電界発光素子の作製手順おける光増感層１４ｄの形成で、緑色の発光性ゲスト材料として構造式（１１３）〜構造式（１１７）に示す材料をそれぞれ用いて光増感層１４ｄを形成した。ゲスト材料のドーピング量は、実施例１４では相対膜厚比で５％、実施例１５〜１８では相対膜厚比で１％とした。これ以外は、実施例１〜４と同様に行った。
【０１５０】
【化１３】
2008159775.tif 000020
【０１５１】
尚、実施例１４で用いた構造式（１１３）の化合物は、特開２００６−９６９６４号公報に記された合成法を元に合成した。
【０１５２】
実施例１５で用いた構造式（１１４）の化合物は、特開２０００−１８２７７２号公報に記された合成法を元に合成した。
【０１５３】
実施例１６で用いた構造式（１１５）の化合物は、特開２００３−３４７０５７号公報に記された合成法を元に合成した。
【０１５４】
実施例１７で用いた構造式（１１６）の化合物は、特開平９-１７６６３０号公報に記された合成法を元に合成した。
【０１５５】
実施例１８で用いた構造式（１１７）の化合物は、特開２００３−２８８９９０号公報に記された合成法を元に合成した。
【０１５６】
＜評価結果＞
以上の実施例１０〜１８で作製した各有機電界発光素子について、電流密度１０ｍＡ/ｃｍ2での駆動時における駆動電圧（Ｖ）、電流効率（ｃｄ／Ａ）、色座標（ｘ、ｙ）を測定した。この結果を、下記表２に示す。尚、この表２には、先の比較例１,２の結果を合わせて示す。
【０１５７】
【表２】
2008159775.tif 000021
【０１５８】
以上の表２に示すように、本発明を適用した実施例１０〜１８の有機電界発光素子の何れも、本発明の適用がない比較例１，２の有機電界発光素子よりも、同程度の駆動電圧で電流効率が２倍近い高い値を示した。このことは、ホスト材料（ＡＤＮ）と発光性ゲスト材料とで構成された光増感層１４ｄで再結合されたエネルギーが、発光層１４ｃにおいての光増感（発光量増加）の効果をもたらすことを示している。
【０１５９】
また、実施例１０〜１８の有機電界発光素子では、ホスト中に緑色の発光性ゲストをドーパントした光増感層１４ｄを赤色の発光層１４ｃに積層させたにもかかわらず、発光光の色座標においても赤色発光が確認され、緑色の発光に由来する混色の影響はなかった。特に、光増感層１４ｄにドーパントする発光性ゲスト材料の種類を変更した実施例１４〜１８の有機電界発光素子においても、赤色発光が確認された。このことからすれば、本発明の構成によれば、光増感層１４ｄの発光性ゲスト材料にかかわらず、赤色の発光層１４ｃで発生した赤色の発光が取り出されることが確認された。
【０１６０】
以上の結果から、赤色の発光層１４ｃを構成するホスト材料およびドーパント材料として公知の有機材料の中から選択された材料を使用し、この発光層１４ｃに隣接させて種々の緑色発色性ゲストを含有させた光増感層１４ｄを設けた本発明の構成では、赤色の色純度を維持しつつも、大幅な発光効率（電流効率）の向上を図ることが可能であることが確認された。
【０１６１】
またこれは、この有機電界発光素子とともに、緑色発光素子および青色発光素子を１組にして画素を構成することにより、色再現性の高いフルカラー表示が可能になることを示している。
【０１６２】
＜実施例１９＞
実施例1と同様の有機電界発光素子を用いた表示装置を、次のようにして作製した（図５参照）。
【０１６３】
先ず、基板１２の表示領域上に陽極１３をパターン形成し、各陽極１３の中央を露出する開口部を備えた絶縁膜３１を形成した。次いで、表示領域全面に対応する開口部を備えた大開口のマスクを用い、実施例1と同様の手順にて、正孔注入層１４ａおよび正孔輸送層１４ｂを形成した。
【０１６４】
次に、赤色発光素子の形成エリア（赤色エリア）に対応する開口部を備えたストライプ状マスクを用い、赤色エリアのみに実施例1と同様に発光層１４ｃ（１４ｃ-R）を成膜した。また、緑色発光素子の形成エリア（緑色エリア）に対応する開口部を備えたストライプ状マスクを用い、緑色エリアの発光層１４ｃ-Gを成膜した。
【０１６５】
その後、再び表示領域全面に対応する開口部を備えた大開口のマスクを用い、実施例1と同様に光増感層１４ｄを兼ねた青色の発光層１４ｃ-B、電子輸送層１４e、さらには陰極１５をこの順に成膜した。
【０１６６】
以上により、赤色エリアには本発明構成を適用した実施例１の有機電界発光素子が赤色発光素子として形成され、緑色エリアには緑色発光素子が形成され、青色エリアには青色発光素子が形成された表示装置が得られた。
【０１６７】
＜実施例２０＞
実施例1０と同様の有機電界発光素子を用いた表示装置を、次のようにして作製した（図８参照）。
【０１６８】
先ず、基板１２の表示領域上に陽極１３をパターン形成し、各陽極１３の中央を露出する開口部を備えた絶縁膜３１を形成した。次いで、表示領域全面に対応する開口部を備えた大開口のマスクを用い、実施例1と同様の手順にて、正孔注入層１４ａおよび正孔輸送層１４ｂを形成した。
【０１６９】
次に、赤色発光素子の形成エリア（赤色エリア）に対応する開口部を備えたストライプ状マスクを用い、赤色エリアのみに実施例1と同様に発光層１４ｃ（１４ｃ-R）を成膜した。また、青色発光素子の形成エリア（緑色エリア）に対応する開口部を備えたストライプ状マスクを用い、青色エリアの発光層１４ｃ-Bを成膜した。
【０１７０】
赤色の発光層１４ｃ（１４ｃ-R）を成膜した後、赤色エリアおよび緑色エリアに対応する開口部を備えた中開口のストライプ状マスクを用いて、実施例１０と同様に光増感層１４ｄを兼ねた緑色の発光層１４ｃ-Gを成膜した。
【０１７１】
次に、表示領域全面に対応する開口部を備えた大開口のマスクを用い、実施例1と同様に電子輸送層１４eを成膜し、さらに２層構造の陰極１５を形成した。
【０１７２】
以上により、赤色エリアには本発明構成を適用した実施例１０の有機電界発光素子が赤色発光素子として形成され、緑色エリアには緑色発光素子が形成され、青色エリアには青色発光素子が形成された表示装置が得られた。
【０１７３】
＜実施例２１＞
実施例1０と同様の有機電界発光素子を用いた表示装置を、次のようにして作製した。図９の構成において、発光層の下層側を共通層とした例である。
【０１７４】
先ず、基板１２の表示領域上に陽極１３をパターン形成し、各陽極１３の中央を露出する開口部を備えた絶縁膜３１を形成した。次いで、表示領域全面に対応する開口部を備えた大開口のマスクを用い、実施例1と同様の手順にて、正孔注入層１４ａおよび正孔輸送層１４ｂを形成した。
【０１７５】
次に、赤色発光素子の形成エリア（赤色エリア）に対応する開口部を備えたストライプ状マスクを用い、赤色エリアのみに実施例1と同様に発光層１４ｃ（１４ｃ-R）を成膜した。また、青色発光素子の形成エリア（緑色エリア）に対応する開口部を備えたストライプ状マスクを用い、青色エリアの発光層１４ｃ-Bを成膜した。
【０１７６】
その後、基板上の表示領域全面に対応する開口部を備えた大開口のマスクを用い、実施例１０と同様に光増感層１４ｄを兼ねた緑色の発光層１４ｃ-Gを成膜し、続けて電子輸送層１４ｅを成膜し、さらに陰極１５を成膜した。
【０１７７】
以上により、赤色エリアには本発明構成を適用した実施例１０の有機電界発光素子が赤色発光素子として形成され、緑色エリアには緑色発光素子が形成され、青色エリアには青色発光素子が形成された表示装置が得られた。
【図面の簡単な説明】
【０１７８】
【図１】実施形態の有機電界発光素子の断面図である。
【図２】実施形態の表示装置の回路構成の一例を示す図である。
【図３】実施形態の表示装置における主要部の断面構成の第１の例を示す図である。
【図４】実施形態の表示装置における主要部の断面構成の第２の例を示す図である。
【図５】実施形態の表示装置における主要部の断面構成の第３の例を示す図である。
【図６】実施形態の表示装置における主要部の断面構成の第４の例を示す図である。
【図７】実施形態の表示装置における主要部の断面構成の第５の例を示す図である。
【図８】実施形態の表示装置における主要部の断面構成の第６の例を示す図である。
【図９】実施形態の表示装置における主要部の断面構成の第７の例を示す図である。
【図１０】本発明が適用される封止された構成のモジュール形状の表示装置を示す構成図である。
【図１１】本発明が適用されるテレビを示す斜視図である。
【図１２】本発明が適用されるデジタルカメラを示す図であり、（Ａ）は表側から見た斜視図、（Ｂ）は裏側から見た斜視図である。
【図１３】本発明が適用されるノート型パーソナルコンピュータを示す斜視図である。
【図１４】本発明が適用されるビデオカメラを示す斜視図である。
【図１５】本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【符号の説明】
【０１７９】
１０…表示装置、１１…有機電界発光素子、１１Ｒ…赤色発光素子（赤色発光の有機電界発光素子）、１１Ｂ…青色発光素子（青色発光の有機電界発光素子）、１１Ｇ…緑色発光素子（緑色発光の有機電界発光素子）、１２…基板、１３…陽極、１４…有機層、１４ｃ…発光層、１４ｄ…光増感層、１５…陰極
【図１】
2008159775.tif 000025
【図２】
2008159775.tif 000026
【図３】
2008159775.tif 000027
【図４】
2008159775.tif 000028
【図５】
2008159775.tif 000029
【図６】
2008159775.tif 000030
【図７】
2008159775.tif 000031
【図８】
2008159775.tif 000032
【図９】
2008159775.tif 000033
【図１０】
2008159775.tif 000034
【図１１】
2008159775.tif 000035
【図１２】
2008159775.tif 000036
【図１３】
2008159775.tif 000037
【図１４】
2008159775.tif 000038
【図１５】
2008159775.tif 000039